(57)【要約】本明細書では、アクノレッジメント・メッセージ（ＡＣＫ）を送信するために必要なオーバヘッドを低減するためのシステム、方法、およびデバイスが記載される。いくつかの態様では、ＡＣＫは、サイズが低減される。いくつかの態様では、ＡＣＫは、いくつかのショート・トレーニング・フィールドを含む。いくつかの態様では、ＡＣＫの受信先は、ＡＣＫがいつ受信されたかに基づいて、ＡＣＫの送信元を判定しうる。いくつかの態様では、ＡＣＫの受信先は、ＡＣＫにおけるショート・トレーニング・フィールドに付加された情報に基づいて、ＡＣＫの送信元を判定しうる。
2014519771.tif 000002
【特許請求の範囲】
【請求項１】
無線ネットワークにおいて通信する方法であって、
データ・パケットを受信することと、
前記データ・パケットを受信することに応じて、アクノレッジメント・パケットを送信することとを備え、
前記アクノレッジメント・パケットは、複数のショート・トレーニング・フィールドを備え、
前記アクノレッジメント・パケットは、前記受信されたデータ・パケットの受信をアクノレッジする、方法。
【請求項２】
前記複数のショート・トレーニング・フィールドに、前記アクノレッジメント・パケットの送信元を示すデータを付加すること、をさらに備える請求項１に記載の方法。
【請求項３】
前記アクノレッジメント・パケットがアクノレッジメント・タイプを有することを示すデータを、前記複数のショート・トレーニング・フィールドに付加すること、をさらに備える請求項１に記載の方法。
【請求項４】
前記アクノレッジメント・パケットは、前記複数のショート・トレーニング・フィールドからなる、請求項１に記載の方法。
【請求項５】
無線ネットワークにおいて通信する方法であって、
データ・パケットを送信することと、
前記データ・パケットを送信することに応じて、アクノレッジメント・パケットを受信することとを備え、
前記アクノレッジメント・パケットは、複数のショート・トレーニング・フィールドを備え、
前記アクノレッジメント・パケットは、前記データ・パケットの受信をアクノレッジする、方法。
【請求項６】
前記データ・パケットの送信と、前記アクノレッジメント・パケットの受信との間の時間インタバルに基づいて、前記アクノレッジメント・パケットの送信元のアイデンティティを判定すること、をさらに備える請求項５に記載の方法。
【請求項７】
前記時間インタバルは、ターンアラウンド・インタ・フレーム・スペースを備える、請求項６に記載の方法。
【請求項８】
前記複数のショート・トレーニング・フィールドに付加された情報に基づいて、前記アクノレッジメント・パケットの送信元のアイデンティティを判定すること、をさらに備える請求項５に記載の方法。
【請求項９】
前記複数のショート・トレーニング・フィールドに付加された情報に基づいて、前記アクノレッジメント・パケットがアクノレッジメント・タイプを有することを判定すること、をさらに備える請求項５に記載の方法。
【請求項１０】
前記アクノレッジメント・パケットは、前記複数のショート・トレーニング・フィールドからなる、請求項５に記載の方法。
【請求項１１】
無線ネットワークにおいて通信する装置であって、
データ・パケットを受信するように構成された受信機と、
前記データ・パケットを受信することに応じてアクノレッジメント・パケットを送信するように構成された送信機とを備え、
前記アクノレッジメント・パケットは、複数のショート・トレーニング・フィールドを備え、
前記アクノレッジメント・パケットは、前記受信されたデータ・パケットの受信をアクノレッジする、装置。
【請求項１２】
前記複数のショート・トレーニング・フィールドに、前記装置のアイデンティティを示すデータを付加するように構成されたプロセッサ、をさらに備える請求項１１に記載の装置。
【請求項１３】
前記複数のショート・トレーニング・フィールドに、前記アクノレッジメント・パケットがアクノレッジメント・タイプを有することを示すデータを付加するように構成されたプロセッサ、をさらに備える請求項１１に記載の装置。
【請求項１４】
前記アクノレッジメント・パケットは、前記複数のショート・トレーニング・フィールドからなる、請求項１１に記載の装置。
【請求項１５】
無線ネットワークにおいて通信する装置であって、
データ・パケットを送信するように構成された送信機と、
前記データ・パケットを送信することに応じてアクノレッジメント・パケットを受信するように構成された受信機とを備え、
前記アクノレッジメント・パケットは、複数のショート・トレーニング・フィールドを備え、
前記アクノレッジメント・パケットは、前記データ・パケットの受信をアクノレッジする、装置。
【請求項１６】
前記データ・パケットの送信と、前記アクノレッジメント・パケットの受信との間の時間インタバルに基づいて、前記アクノレッジメント・パケットを送信したデバイスのアイデンティティを判定するように構成されたプロセッサ、をさらに備える請求項１５に記載の装置。
【請求項１７】
前記時間インタバルは、ターンアラウンド・インタ・フレーム・スペースを備える、請求項１６に記載の装置。
【請求項１８】
前記複数のショート・トレーニング・フィールドに付加された情報に基づいて、前記アクノレッジメント・パケットを送信したデバイスのアイデンティティを判定するように構成されたプロセッサ、をさらに備える請求項１５に記載の装置。
【請求項１９】
前記複数のショート・トレーニング・フィールドに付加された情報に基づいて、前記アクノレッジメント・パケットがアクノレッジメント・タイプを有すると判定するように構成されたプロセッサ、をさらに備える請求項１５に記載の装置。
【請求項２０】
前記アクノレッジメント・パケットは、前記複数のショート・トレーニング・フィールドからなる、請求項１５に記載の装置。
【請求項２１】
無線ネットワークにおいて通信する装置であって、
データ・パケットを受信する手段と、
前記データ・パケットを受信することに応じてアクノレッジメント・パケットを送信する手段とを備え、
前記アクノレッジメント・パケットは、複数のショート・トレーニング・フィールドを備え、
前記アクノレッジメント・パケットは、前記受信されたデータ・パケットの受信をアクノレッジする、装置。
【請求項２２】
前記複数のショート・トレーニング・フィールドに、前記アクノレッジメント・パケットの送信元を示すデータを付加する手段、をさらに備える請求項２１に記載の装置。
【請求項２３】
前記アクノレッジメント・パケットがアクノレッジメント・タイプを有することを示すデータを、前記複数のショート・トレーニング・フィールドに付加する手段、をさらに備える請求項２１に記載の装置。
【請求項２４】
前記アクノレッジメント・パケットは、前記複数のショート・トレーニング・フィールドからなる、請求項２１に記載の装置。
【請求項２５】
無線ネットワークにおいて通信する装置であって、
データ・パケットを送信する手段と、
前記データ・パケットを送信することに応じて、アクノレッジメント・パケットを受信する手段とを備え、
前記アクノレッジメント・パケットは、複数のショート・トレーニング・フィールドを備え、
前記アクノレッジメント・パケットは、前記データ・パケットの受信をアクノレッジする、装置。
【請求項２６】
前記データ・パケットの送信と、前記アクノレッジメント・パケットの受信との間の時間インタバルに基づいて、前記アクノレッジメント・パケットの送信元のアイデンティティを判定する手段、をさらに備える請求項２５に記載の装置。
【請求項２７】
前記時間インタバルは、ターンアラウンド・インタ・フレーム・スペースを備える、請求項２６に記載の装置。
【請求項２８】
前記複数のショート・トレーニング・フィールドに付加された情報に基づいて、前記アクノレッジメント・パケットの送信元のアイデンティティを判定する手段、をさらに備える請求項２５に記載の装置。
【請求項２９】
前記複数のショート・トレーニング・フィールドに付加された情報に基づいて、前記アクノレッジメント・パケットがアクノレッジメント・タイプを有することを判定する手段、をさらに備える請求項２５に記載の装置。
【請求項３０】
前記アクノレッジメント・パケットは、前記複数のショート・トレーニング・フィールドからなる、請求項２５に記載の装置。
【請求項３１】
実行された場合、装置に対して、
データ・パケットを受信することと、
前記データ・パケットを受信することに応じてアクノレッジメント・パケットを送信することと、を実行させる命令群を備えるコンピュータ読取可能な媒体であって、
前記アクノレッジメント・パケットは、複数のショート・トレーニング・フィールドを備え、
前記アクノレッジメント・パケットは、前記受信されたデータ・パケットの受信をアクノレッジする、コンピュータ読取可能な媒体。
【請求項３２】
前記命令群は、実行された場合、前記装置に対してさらに、前記複数のショート・トレーニング・フィールドに、前記アクノレッジメント・パケットの送信元を示すデータを付加することを実行させる、請求項３１に記載のコンピュータ読取可能な媒体。
【請求項３３】
前記命令群は、実行された場合、前記装置に対してさらに、前記複数のショート・トレーニング・フィールドに、前記アクノレッジメント・パケットがアクノレッジメント・タイプを有することを示すデータを付加することを実行させる、請求項３１に記載のコンピュータ読取可能な媒体。
【請求項３４】
前記アクノレッジメント・パケットは、前記複数のショート・トレーニング・フィールドからなる、請求項３１に記載のコンピュータ読取可能な媒体。
【請求項３５】
実行された場合、装置に対して、
データ・パケットを送信することと、
前記データ・パケットを送信することに応じてアクノレッジメント・パケットを受信することと、を実行させる命令群を備えるコンピュータ読取可能な媒体であって、
前記アクノレッジメント・パケットは、複数のショート・トレーニング・フィールドを備え、
前記アクノレッジメント・パケットは、前記データ・パケットの受信をアクノレッジする、コンピュータ読取可能な媒体。
【請求項３６】
前記命令群は、実行された場合、前記装置に対してさらに、前記データ・パケットの送信と、前記アクノレッジメント・パケットの受信との間の時間インタバルに基づいて、前記アクノレッジメント・パケットの送信元のアイデンティティを判定することを実行させる、請求項３５に記載のコンピュータ読取可能な媒体。
【請求項３７】
前記時間インタバルは、ターンアラウンド・インタ・フレーム・スペースを備える、請求項３６に記載のコンピュータ読取可能な媒体。
【請求項３８】
前記命令群は、実行された場合、前記装置に対してさらに、前記複数のショート・トレーニング・フィールドに付加された情報に基づいて、前記アクノレッジメント・パケットの送信元のアイデンティティを判定することを実行させる、請求項３５に記載のコンピュータ読取可能な媒体。
【請求項３９】
前記命令群は、実行された場合、前記装置に対してさらに、前記複数のショート・トレーニング・フィールドに付加された情報に基づいて、前記アクノレッジメント・パケットがアクノレッジメント・タイプを有することを判定することを実行させる、請求項３５に記載のコンピュータ読取可能な媒体。
【請求項４０】
前記アクノレッジメント・パケットは、前記複数のショート・トレーニング・フィールドからなる、請求項３５に記載のコンピュータ読取可能な媒体。
【発明の詳細な説明】
【関連出願に対する相互参照】
【０００１】
本願は、その内容全体が参照によって本明細書に組み込まれている２０１１年６月９日出願の米国仮特許出願６１／４９５，２６１号の利益を主張する。
【技術分野】
【０００２】
本願は、一般に、無線通信に関し、さらに詳しくは、アクノレッジメント・メッセージ・オーバヘッド（ＡＣＫ）を低減するためのシステム、方法、およびデバイスに関する。
【背景技術】
【０００３】
多くの通信システムでは、空間的に分離されたいくつかのインタラクトするデバイス間でメッセージを交換するために通信ネットワークが使用される。ネットワークは、例えば、都市エリア、ローカル・エリア、またはパーソナル・エリアでありうる地理的なスコープにしたがって分類されうる。そのようなネットワークは、広域ネットワーク（ＷＡＮ）、都市内エリア・ネットワーク（ＭＡＮ）、ローカル・エリア・ネットワーク（ＬＡＮ）、無線ローカル・エリア・ネットワーク（ＷＬＡＮ）、またはパーソナル・エリア・ネットワーク（ＰＡＮ）としてそれぞれ指定されるだろう。これらネットワークはまた、さまざまなネットワーク・ノードおよびデバイス（例えば、回路切換対パケット切換）、送信のために適用される物理媒体のタイプ（例えば有線か無線か）、および、使用される通信プロトコルのセット（例えば、インターネット・プロトコル・スイート、ＳＯＮＥＴ（シンクロナス光ネットワーク）、イーサネット（登録商標）等）を相互接続するために使用される切換／ルーティング技術にしたがって異なる。
【０００４】
無線ネットワークは、ネットワーク要素がモバイルであり動的な接続ニーズがある場合、あるいは、ネットワーク・アーキテクチャが固定されたトポロジではなく、アド・ホックで形成されている場合にしばしば好まれる。無線ネットワークは、例えばラジオ、マイクロ波、赤外線、光等のような周波数帯域における電磁波を用いて、ガイドされていない伝搬モードで、実体のない物理媒体を適用する。無線ネットワークは、固定された有線ネットワークと比較された場合、有利なことに、ユーザ・モビリティおよび迅速なフィールド展開を容易にする。
【０００５】
無線ネットワークにおけるデバイスは、互いの間で情報を送信／受信しうる。この通信プロセスの一部として、別のデバイスから情報を受信したデバイスは、この情報を送信したデバイスへアクノレッジメント（ＡＣＫ）を送信しうる。ＡＣＫは、情報を受信したという事実をアクノレッジする。アクノレッジメントを送信するこの動作は、無線ネットワークにおける通信に追加のオーバヘッドを加える。
【０００６】
この追加のオーバヘッドは、特に、いくつかの無線ネットワークにおいて問題となりうる。例えば、欧州のようなあるエリアでは、あるスペクトル（例えば、無線チャネル、周波数帯域等）が、１時間あたり１００秒の送信デューティ・サイクル制限を有する。これは、所与の送信機は、所与の時間において、１００秒未満の間しか、そのスペクトルで送信することを許可されていないことを意味する。ある場合では、例えば、センサから測定値を収集するデバイスの場合、ＡＣＫを送信するオーバヘッドのみで、このデューティ・サイクルしきい値を超過しうる。したがって、ＡＣＫを通信するための改善されたシステム、方法、およびデバイスが望まれる。
【発明の概要】
【０００７】
本発明のシステム、方法、およびデバイスは、おのおのがいくつかの態様を有しており、それらのうちの何れも、単独では、所望の特性の責任を負うものではない。以下に記載された特許請求の範囲によって表されるように、本発明の範囲を制限することなく、いくつかの特徴が簡潔に説明されるだろう。この説明を考慮した後、また、特に「発明を実施するための形態」と題されたセクションを読んだ後、当業者は、ＡＣＫのサイズを低減することと、これによって、ＡＣＫを送信する際におけるオーバヘッドを低減することとを含む利点を、本発明の特徴がどのように提供するのかを理解するであろう。
【０００８】
本開示の１つの態様は、無線ネットワークにおいて通信する方法を提供する。この方法は、データ・パケットを受信することを備える。この方法はさらに、データ・パケットを受信することに応じて、アクノレッジメント・パケットを送信することを備える。アクノレッジメント・パケットは、複数のショート・トレーニング・フィールドを備える。アクノレッジメント・パケットは、受信されたデータ・パケットの受信をアクノレッジする。
【０００９】
本開示の別の態様は、無線ネットワークにおいて通信する方法を提供する。この方法は、データ・パケットを送信することを備える。方法はさらに、データ・パケットを送信することに応じて、アクノレッジメント・パケットを受信することを備える。アクノレッジメント・パケットは、複数のショート・トレーニング・フィールドを備える。アクノレッジメント・パケットは、データ・パケットの受信をアクノレッジする。
【００１０】
本開示の別の態様は、無線ネットワークにおいて通信する装置を提供する。この装置は、データ・パケットを受信するように構成された受信機を備える。この装置はさらに、データ・パケットを受信することに応じてアクノレッジメント・パケットを送信するように構成された送信機を備える。アクノレッジメント・パケットは、複数のショート・トレーニング・フィールドを備える。アクノレッジメント・パケットは、受信されたデータ・パケットの受信をアクノレッジする。
【００１１】
本開示の別の態様は、無線ネットワークにおいて通信する装置を提供する。この装置は、データ・パケットを送信するように構成された送信機を備える。この装置はさらに、データ・パケットを送信することに応じてアクノレッジメント・パケットを受信するように構成された受信機を備える。アクノレッジメント・パケットは、複数のショート・トレーニング・フィールドを備える。アクノレッジメント・パケットは、データ・パケットの受信をアクノレッジする。
【００１２】
本開示の別の態様は、無線ネットワークにおいて通信する装置を提供する。この装置は、データ・パケットを受信する手段を備える。この装置はさらに、データ・パケットを受信することに応じてアクノレッジメント・パケットを送信する手段を備える。アクノレッジメント・パケットは、複数のショート・トレーニング・フィールドを備える。アクノレッジメント・パケットは、受信されたデータ・パケットの受信をアクノレッジする。
【００１３】
本開示の別の態様は、無線ネットワークにおいて通信する装置を提供する。この装置は、データ・パケットを送信する手段を備える。この装置はさらに、データ・パケットを送信することに応じて、アクノレッジメント・パケットを受信する手段を備える。アクノレッジメント・パケットは、複数のショート・トレーニング・フィールドを備える。アクノレッジメント・パケットは、データ・パケットの受信をアクノレッジする。
【００１４】
本開示の別の態様は、命令群を備えるコンピュータ読取可能な媒体を提供する。これら命令群は、実行された場合、装置に対して、データ・パケットを受信させる。これら命令群はさらに、実行された場合、装置に対して、データ・パケットを受信することに応じて、アクノレッジメント・パケットを送信させる。アクノレッジメント・パケットは、複数のショート・トレーニング・フィールドを備える。アクノレッジメント・パケットは、受信されたデータ・パケットの受信をアクノレッジする。
【００１５】
本開示の別の態様は、命令群を備えるコンピュータ読取可能な媒体を提供する。これら命令群は、実行された場合、装置に対して、データ・パケットを送信させる。これら命令群は、実行された場合、装置に対してさらに、データ・パケットを送信することに応じてアクノレッジメント・パケットを受信させる。アクノレッジメント・パケットは、複数のショート・トレーニング・フィールドを備える。アクノレッジメント・パケットは、データ・パケットの受信をアクノレッジする。
【図面の簡単な説明】
【００１６】
【図１】図１は、本開示の態様が適用されうる無線通信システムの例を例示する。
【図２】図２は、図１の無線通信システム内に適用されうる、無線デバイスにおいて利用されうる、受信機を含むさまざまな構成要素を例示する。
【図３】図３は、通信のためにあるシステムで使用されるタイプのアクノレッジメント（ＡＣＫ）の例を例示する。
【図４】図４は、図１の無線通信システムにおいて使用されうるショートＡＣＫの例を例証する。
【図５】図５は、ＡＣＫを送信する方法の態様を例示する。
【図６】図６は、図１の無線通信システム内で適用されうる別の典型的な無線デバイスの機能ブロック図である。
【図７】図７は、ＡＣＫを受信し処理する方法の態様を例示する。
【図８】図８は、図１の無線通信システム内で適用されうる別の典型的な無線デバイスの機能ブロック図である。
【発明を実施するための形態】
【００１７】
斬新なシステム、装置、および方法のさまざまな態様が、添付図面を参照して以下により十分に記載される。しかしながら、本開示のこれら技術は、多くの異なる形態で具体化され、本開示を通じて表された何れかの特定の構成または機能に限定されるものとして解釈されるべきではない。むしろ、これらの態様は、本開示が十分で完全であり、本開示の範囲を当業者に十分に伝達できるように提供されている。本明細書における教示に基づいて、当業者は、本開示の範囲は、独立して実施されようが、あるいは、本発明の任意の他の態様と組み合わされようが、本明細書で開示された斬新なシステム、装置、および方法のあらゆる態様をカバーすることが意図されていることを認識すべきである。例えば、本明細書に記載された任意の数の態様を用いて装置が実現され、方法が実施されうる。さらに、本発明の範囲は、別の構成、機能、または、本明細書に記載された発明のさまざまな態様またはそれ以外の態様が追加された構成および機能を用いて実現される装置または方法をカバーすることが意図されている。本明細書で開示されたあらゆる態様は、特許請求の範囲の１または複数の要素によって具体化されうる。
【００１８】
本明細書では、特定の態様が記載されているが、これら態様の多くの変形および置換が、本開示の範囲内にある。好適な態様のいくつかの利点および長所が述べられているが、本開示の範囲は、特定の利点、使用、および目的に限定されることは意図されていない。むしろ、本開示の態様は、このうちのいくつかが図面における例示によって、および、以下の好適な態様の記載によって例示されている異なる無線技術、システム構成、ネットワーク、および伝送プロトコルに広く適用可能であることが意図されている。詳細な記載および図面は、限定ではない開示の単なる例示であり、本開示の範囲は、特許請求の範囲およびその均等物によって定義される。
【００１９】
ポピュラーな無線ネットワーク技術は、さまざまなタイプの無線ローカル・エリア・ネットワーク（ＷＬＡＮ）を含みうる。ＷＬＡＮは、近くのデバイスをともに相互接続するために使用されており、広範に使用されるネットワーキング・プロトコルを適用している。本明細書に開示されたさまざまな態様は、例えばＷｉＦｉ、さらに詳しくは、無線プロトコルのＩＥＥＥ  ８０２．１１規格の何れかのメンバのような任意の通信規格に適合しうる。例えば、本明細書に記載されたさまざまな態様は、サブ１ＧＨｚ帯域を用いるＩＥＥＥ  ８０２．１１ａｈプロトコルの一部として使用されうる。
【００２０】
いくつかの態様では、サブ・ギガ・ヘルツ帯域における無線信号が、直交周波数−分割多重（ＯＦＤＭ）通信、ダイレクト−シーケンス拡散スペクトル（ＤＳＳＳ）通信、ＯＦＤＭ通信とＤＳＳＳ通信との組み合わせ、またはその他のスキームを用いて、８０２．１１ａｈプロトコルにしたがって送信されうる。８０２．１１ａｈプロトコルの実施は、センサ、メータ、およびスマート・グリッド・ネットワークのために使用されうる。有利なことに、８０２．１１ａｈプロトコルを実施するあるデバイスの態様は、その他の無線プロトコルを実施するデバイスよりも少ない電力しか消費しない場合がありうる。および／または、例えば約１キロメータまたはそれ以上のように、比較的長距離にわたって無線信号を送信するために使用されうる。
【００２１】
いくつかの実施では、ＷＬＡＮは、無線ネットワークにアクセスする構成要素であるさまざまなデバイスを含んでいる。例えば、２種類のデバイス、すなわち、アクセス・ポイント（“ＡＰ”）およびクライアント（局または“ＳＴＡ”とも称される）が存在しうる。一般に、ＡＰは、ＷＬＡＮのためのハブまたは基地局として役立ち、ＳＴＡは、ＷＬＡＮのユーザとして役立つ。例えば、ＳＴＡは、ラップトップ・コンピュータ、携帯情報端末（ＰＤＡ）、モバイル電話等でありうる。例において、インターネットまたはその他の広域ネットワークへの一般的な接続を得るために、ＷｉＦｉ（例えば、８０２．１１ａｈのようなＩＥＥＥ  ８０２．１１プロトコル）準拠の無線リンクを介してＡＰに接続する。いくつかの実施では、ＳＴＡは、ＡＰとしても使用されうる。
【００２２】
アクセス・ポイント（“ＡＰ”）はさらに、ノードＢ、ラジオ・ネットワーク・コントローラ（“ＲＮＣ”）、ｅノードＢ、基地局コントローラ（“ＢＳＣ”）、基地トランシーバ局（“ＢＴＳ”）、基地局（“ＢＳ”）、トランシーバ機能（“ＴＦ”）、ラジオ・ルータ、ラジオ・トランシーバ、またはその他を備えうるか、これらとして実現されうるか、または、これらとして知られうる。
【００２３】
局（“ＳＡＴ”）はまた、アクセス端末（“ＡＴ”）、加入者局、加入者ユニット、移動局、遠隔局、遠隔端末、ユーザ端末、ユーザ・エージェント、ユーザ・デバイス、ユーザ機器、またはその他いくつかの用語として知られているか、備えているか、または実現されうる。いくつかの実施において、アクセス端末は、セルラ電話、コードレス電話、セッション開始プロトコル（“ＳＩＰ”）電話、無線ローカル・ループ（“ＷＬＬ”）局、携帯情報端末（“ＰＤＡ”）、無線接続機能を有するハンドヘルド・デバイス、あるいは無線モデムに接続されたその他いくつかの適切な処理デバイスを備えうる。したがって、本明細書において教示される１または複数の態様は、電話（例えば、セルラ電話またはスマートフォン）、コンピュータ（例えば、ラップトップ）、ポータブル通信デバイス、ヘッドセット、ポータブル・コンピューティング・デバイス（例えば、情報携帯端末）、エンタテイメント・デバイス（例えば、音楽またはビデオ・デバイス、または衛星ラジオ）、ゲーム・デバイスまたはシステム、全地球測位システム・デバイス、または無線媒体によって通信するように構成されたその他の適切なデバイスに組み込まれうる。
【００２４】
前述したように、本明細書に記載されたあるデバイスは、例えば８０２．１１ａｈ規格を実施しうる。このようなデバイスは、ＳＴＡまたはＡＴまたはその他のデバイスとして使用されていようといまいと、スマート・メータリングのために、または、スマート・グリッド・ネットワークにおいて、使用されうる。このようなデバイスは、センサ・アプリケーションを提供しうるか、ホーム・オートメーションにおいて使用されうる。これらデバイスは、その代わりに、あるいは、それに加えて、例えば、パーソナル・ヘルスケアのようなヘルスケア・コンテキストにおいて使用されうる。さらに、（例えば、ホットスポットで使用するために）拡張範囲インターネット接続をイネーブルするため、または、マシン・トゥ・マシン通信を実施するための、サーベイランス用にも使用されうる。
【００２５】
図１に、本開示の態様が適用されうる無線通信システム１００の例を示す。無線通信システム１００は、例えば８０２．１１ａｈ規格のような無線規格に準拠して動作しうる。無線通信システム１００は、ＳＴＡ１０６と通信するＡＰ１０４を含みうる。
【００２６】
さまざまな処理および方法が、無線通信システム１００内におけるＡＰ１０４とＳＴＡ１０６との間の送信のために使用されうる。例えば、信号が、ＯＦＤＭ／ＯＦＤＭＡ技術にしたがってＡＰ１０４とＳＴＡ１０６との間で送信および受信されうる。この場合、無線通信システム１００は、ＯＦＤＭ／ＯＦＤＭＡシステムと称されうる。あるいは、信号が、ＣＤＭＡ技術にしたがってＡＰ１０４とＳＴＡ１０６との間で送信および受信されうる。この場合、無線通信システム１００は、ＣＤＭＡシステムと称されうる。
【００２７】
ＡＰ１０４から、ＳＴＡ１０６の１または複数への送信を容易にする通信リンクは、ダウンリンク（ＤＬ）１０８と称され、ＳＴＡ１０６の１または複数から、ＡＰ１０４への送信を容易にする通信リンクは、アップリンク（ＵＬ）１１０と称されうる。あるいは、ダウンリンク１０８が、順方向リンクまたは順方向チャネルと称され、アップリンク１１０が、逆方向リンクまたは逆方向チャネルと称されうる。
【００２８】
ＡＰ１０４は、基地局として動作し、基本サービス・エリア（ＢＳＡ）１０２において無線通信有効範囲を提供しうる。ＡＰ１０４はＳＴＡ１０６とともに基本サービス・セット（ＢＳＳ）と称されうる。ここで、ＳＴＡ１０６は、ＡＰ１０４に関連付けられ、通信のためにＡＰ１０４を使用する。無線通信システム１００は、中央ＡＰ１０４を有していないかもしれず、代わりに、ＳＴＡ１０６間のピア・トゥ・ピア・ネットワークとして機能しうることが注目されるべきである。したがって、本明細書に記載されたＡＰ１０４の機能は、代わりに、ＳＴＡ１０６のうちの１または複数によって実行されうる。
【００２９】
図２に、無線通信システム１００内で使用できる無線デバイス２０２内で利用できるさまざまな構成要素を示す。無線デバイス２０２は、本明細書で説明されるさまざまな方法を実施するように構成されうるデバイスの例である。例えば、無線デバイス２０２は、ＳＴＡ１０６のうちの１つ、またはＡＰ１０４を備えうる。
【００３０】
無線デバイス２０２は、無線デバイス２０２の動作を制御するプロセッサ２０４を含みうる。このプロセッサ２０４は、中央制御装置（ＣＰＵ）とも称されうる。読取専用メモリ（ＲＯＭ）とランダム・アクセス・メモリ（ＲＡＭ）との両方を含みうるメモリ２０６は、プロセッサ２０４に命令およびデータを提供する。メモリ２０６の一部は、不揮発性ランダム・アクセス・メモリ（ＮＶＲＡＭ）をも含みうる。プロセッサ２０４は、通常、メモリ２０６に格納されたプログラム命令に基づいて、ロジック演算および算術演算を実行する。本明細書で説明される方法を実施するために、メモリ２０６内の命令群が実行可能とされうる。
【００３１】
無線デバイス２０２が、送信ノードとして実施または使用されている場合、プロセッサ２０４は、受信ノードへの送信のためのデータ・パケットを生成するように構成されうる。プロセッサ２０４はさらに、送信ノードが、別のデバイスからのＡＣＫを受信した場合、以下に記述されているようにＡＣＫを処理するように構成されうる。ＡＣＫは、データ・パケットを受信することに応じて送信される。
【００３２】
無線デバイス２０２が、受信ノードとして実施または使用されている場合、プロセッサ２０４は、送信ノードから受信したデータ・パケットを処理するように構成されうる。プロセッサ２０４はさらに、データ・パケットの受信に基づいて、以下に記述するように、送信ノードへ送信するためのＡＣＫを生成するように構成されうる。
【００３３】
プロセッサ２０４は、１または複数のプロセッサで実現される処理システムの構成要素でありうるか、これら構成要素を備えうる。１または複数のプロセッサは、汎用マイクロ・プロセッサ、マイクロコントローラ、デジタル信号プロセッサ（ＤＳＰ）、フィールド・プログラマブル・ゲート・アレイ（ＦＰＧＡ）、プログラマブル論理デバイス（ＰＬＤ）、コントローラ、ステート・マシン、ゲート・ロジック、ディスクリート・ハードウェア構成要素、専用ハードウェア有限ステート・マシン、または情報の計算またはその他の操作を実行できうるその他任意の適切なエンティティ、からなる任意の組み合わせを用いて実現されうる。
【００３４】
処理システムはまた、ソフトウェアを格納するための機械読取可能な媒体をも含みうる。ソフトウェアは、ソフトウェア、ファームウェア、ミドルウェア、マイクロコード、ハードウェア記述言語、またはその他で称されようと、任意のタイプの命令群を意味すると広く解釈されるものとする。命令群は、（例えば、ソース・コード・フォーマット、バイナリ・コード・フォーマット、実行可能なコード・フォーマット、または、その他任意の適切なコードのフォーマットで）コードを含みうる。これら命令群は、１または複数のプロセッサによって実行された場合、処理システムに対して、本明細書に記載されたさまざまな機能を実行させる。
【００３５】
無線デバイス２０２はさらに、無線デバイス２０２と遠隔位置との間のデータの送信および受信を可能にするために、送信機２１０および／または受信機２１２を含みうる。送信機２１０および受信機２１２は、トランシーバ２１４に結合されうる。アンテナ２１６が、ハウジング２０８に取り付けられ、トランシーバ２１４に電気的に接続されうる。無線デバイス２０２は、（図示されていない）複数の送信機、複数の受信機、複数のトランシーバ、および／または複数のアンテナをも含みうる。
【００３６】
送信機２１０は、パケットおよび／またはＡＣＫを無線で送信するように構成されうる。受信機２１２は、パケットおよび／またはＡＣＫを無線で受信するように構成されうる。
【００３７】
無線デバイス２０２は、トランシーバ２１４によって受信された信号を検出し、そのレベルを定量化する目的で使用される信号検出器２１８をも含みうる。信号検出器２１８は、合計エネルギ、シンボル毎のサブキャリア毎のエネルギ、電力スペクトル密度、およびその他の信号のような信号を検出しうる。無線デバイス２０２は、信号を処理する際に使用されるデジタル信号プロセッサ（ＤＳＰ）２２０をも含みうる。ＤＳＰ２２０は、送信のためにパケットを生成するように構成されうる。ある態様では、パケットは、物理レイヤ・データ・ユニット（ＰＰＤＵ）を備えうる。
【００３８】
無線デバイス２０２はさらに、いくつかの態様では、ユーザ・インタフェース２２２を備えうる。ユーザ・インタフェース２２２は、キーパッド、マイクロホン、スピーカ、および／または、ディスプレイを備えうる。ユーザ・インタフェース２２２は、無線デバイス２０２のユーザへの情報の伝送、および／または、ユーザからの入力の受信を行う任意の要素または構成要素を含みうる。
【００３９】
無線デバイス２０２のさまざまな構成要素は、バス・システム２２６によってともに接続されうる。バス・システム２２６は、データ・バスのみならず、例えば、データ・バスに加えて、電力バス、制御信号バス、およびステータス信号バスをも含みうる。当業者であれば、無線デバイス２０２の構成要素は、その他いくつかのメカニズムを用いてともに接続されうるか、または、入力を受け付けるか、または、入力を互いに提供しうることを認識するだろう。
【００４０】
多くの個別の構成要素が図２に例示されているが、当業者であれば、これら構成要素のうちの１または複数は、組み合わせて、または、共通して実現されうることを認識するだろう。例えば、プロセッサ２０４は、プロセッサ２０４に関して前述された機能のみならず、信号検出器２１８および／またはＤＳＰ２２０に関して前述された機能をも実施するために使用されうる。さらに、図２に例示された構成要素のおのおのは、複数の個別の要素を用いて実現されうる。
【００４１】
参照を容易にするために、無線デバイス２０２が送信ノードとして構成されている場合、以下において、無線デバイス２０２ｔと称される。同様に、無線デバイス２０２が受信ノードとして構成されている場合、以降、無線デバイス２０２ｒと称される。無線通信システム１００におけるデバイスは、送信ノードの機能のみならず、受信ノードの機能、または、送信ノードと受信ノードとの両方の機能を実現しうる。
【００４２】
前述したように、無線デバイス２０２は、ＡＰ１０４またはＳＴＡ１０６を備えうる。そして、ＡＣＫを含む通信を送信および／または受信するために使用されうる。
【００４３】
図３は、通信のためのあるシステムで使用されるタイプである、ＡＣＫ３００の例を例示する。例えば、ＡＣＫ３００は４つのフィールド、すなわちフレーム制御（ｆｃ）フィールド３０５、持続時間／識別情報（ｄｕｒ）フィールド３１０、受信機アドレス（ａ１）フィールド３１５、およびフレーム制御シーケンス（ｆｃｓ）フィールド３２０を含む。無線デバイス２０２ｒが、無線デバイス２０２ｔから送信されたデータ・パケットを受信した後、無線デバイス２０２ｒによって、無線デバイス２０２ｔへ、ＡＣＫ３００が送信されうる。ＡＣＫ３００は、無線デバイス２０２ｒがデータ・パケットを受信したことを無線デバイス２０２ｔへ示す。したがって、無線デバイス２０２ｔは、無線デバイス２０２ｒへのデータ・パケットの送信を確認できうる。無線デバイス２０２ｔは、ＡＣＫ３００が、無線デバイス２０２ｒからのものであることを、無線デバイス２０２ｒのアドレスを示すａ１フィールド３１５に基づいて判定しうる。
【００４４】
ある状況では、無線デバイス２０２ｒから無線デバイス２０２ｔへのＡＣＫ３００の全体は、多大なオーバヘッドを生成するので、ＡＣＫ３００の全体を送信するために必要とされる時間は、非常に長い。例えば、前述されたように、例えば欧州のようなあるエリアでは、あるスペクトル（例えば、無線チャネル、周波数帯域等）は、１時間あたり１００秒の送信デューティ・サイクル制限を有する。これは、所与の送信機が、所与の時間あたり１００秒を超えない間しか、このスペクトルで送信することが許されていないことを意味する。ある場合、例えば、センサから測定値を収集するデバイスの場合、ＡＣＫを送信するオーバヘッドだけで、このデューティ・サイクルしきい値を超過しうる。したがって、無線デバイス２０２ｒから無線デバイス２０２ｔへのＡＣＫ３００の全体の送信は、実現可能ではないことがありうる。
【００４５】
したがって、本明細書では、低減されたサイズのＡＣＫ（ショートＡＣＫ）を用いるためのシステムおよび方法が記載されている。このようなショートＡＣＫは、サイズを低減するために、物理レイヤ（ＰＨＹ）、媒体アクセス制御（ＭＡＣ）ヘッダ、および／または、追加のパディングを含んでいない場合がありうる。このようなショートＡＣＫを使用することによって、ＡＣＫに含まれうるデータを低減することが可能となり、もって、ＡＣＫを送信するために必要なオーバヘッドが低減される。したがって、全体として、より少ないデータしか送信される必要がない。より少ないデータしか送信しないことは、データが送信される速度を高め、送信機による帯域幅の使用を低減し、さらに、より少ないデータを送信するためにより少ないリソースしか使用されないので、送信のために必要な電力を低減しうる。
【００４６】
図４は、図１の無線通信システム１００において使用されうるショートＡＣＫ４００の例を例示する。図示されるように、ＡＣＫ４００は、いくつかのショート・トレーミング・フィールド（ＳＴＦ）４０５を備える。いくつかの態様では、ＳＴＦ４０５は、複数の反復されるトレーニング・シーケンスを含んでいる。当該技術において知られているように、（ＡＣＫパケットを含む）データ・パケットにおけるＳＴＦは、パケットの先頭を検出するために使用されうる。ＡＣＫ４００の持続時間は、図３のＡＣＫ３００の持続時間よりも短くなるように定義される。これによって、送信するオーバヘッドは、ＡＣＫ３００よりも少なくしか必要とされない。いくつかの実施形態では、ＡＣＫ４００は、無線通信システム１００において使用されるシンボル時間よりも短い持続時間しか有さないことがありうる。
【００４７】
無線デバイス２０２ｒが、無線デバイス２０２ｔから到来したデータ・パケットを受信すると、無線デバイス２０２ｒによってＡＣＫ４００が送信されうる。ＡＣＫ４００を送信する前であって、到来したデータ・パケットを受信した後、無線デバイス２０２ｒはさらに、データ・パケットを復号し、データ・パケットのフレーム制御シーケンス（例えば、巡回冗長検査）が合格したかを確認する。これは、データ・パケットの受信において、誤りが無いことを示す。無線デバイス２０２ｔにおいてデータ・パケットを送信することと、無線デバイス２０２ｒにおいてＡＣＫ４００を送信することとの間の時間インタバルは、ターンアラウンド・インタ・フレーム・スペース（ＴＩＦＳ）と称されうる。ＴＩＦＳ値は、無線デバイス２０２ｔと無線デバイス２０２ｒとの両方によって知られている、予め定義された値でありうる。いくつかの態様では、ＴＩＦＳ値は、通信しているＳＴＡ無線デバイスのペア毎に異なりうるか、または変わりうる。これによって、ＡＣＫ４００を送信したデバイスを示すインジケーションが提供される。例えば、無線デバイス２０２の所与のペアの場合、ＴＩＦＳは、例えば１０，1１５，２０，および２５マイクロ秒のような４つの値である、値のセットから選択されうる。このような例では、最大１マイクロ秒のエア伝搬遅延を仮定すると、ＡＣＫ４００が受信される時間は、選択されたＴＩＦＳ値に依存して、１０−１２マイクロ秒、１５−１７マイクロ秒、および２５−２７マイクロ秒の何れかである。無線デバイス２０２の別のペアが、別のＴＩＦＳ値を選択した場合、ＡＣＫ４００が受信された時間は、どの無線デバイス２０２ｒがＡＣＫを送信したのかを判定するために使用されうる。なぜなら、このデバイスは、ＡＣＫ４００が受信された時間に対応するＴＩＦＳ値を持つ無線デバイス２０２のペアのデバイスのうちの１つであろうからである。ある態様では、ＴＩＦＳの値は、ＡＣＫ４００が応答であるデータ・フレームのコンテンツに基づいて選択されうる。ＴＩＦＳは、例えば、データ・パケットにおけるスクランブラ・シードに基づきうるか、または、データ・パケットのフレーム制御シーケンス（ＦＣＳ）に基づきうる。
【００４８】
無線デバイス２０２ｒからのＡＣＫ４００を受信している無線デバイス２０２ｔは、その後、無線デバイス２０２ｒがＡＣＫ４００を送信したと判定しうる。無線デバイス２０２ｔは、ＡＣＫ３００の場合と同様に、ＡＣＫ４００の送信元を判定できない場合がありうる。例えば、前述したように、ＡＣＫ３００は、ＡＣＫ３００の送信元を示すａ１フィールド３１５を含む。ＡＣＫ４００は、そのようなフィールドを有していない。しかしながら、無線デバイス２０２ｔは、最初のデータ・パケットがいつ送信されたか、およびＡＣＫ４００がいつ受信されたかに関する情報を有する。したがって、データ・パケットが無線デバイス２０２ｒへ送信された後のＴＩＦＳ後にＡＣＫ４００が受信された場合、無線デバイス２０２ｔは、ＡＣＫ４００が無線デバイス２０２ｒから送信されたと仮定しうる。いくつかの実施形態では、ＡＣＫ４００におけるＳＴＦ４０５に情報が付加され、これが、ＡＣＫ４００が無線デバイス２０２ｒからのものであると無線デバイス２０２ｔが判定することを助けるＡＣＫであることが示される。いくつかの実施形態では、ＡＣＫ４００におけるＳＴＦ４０５に情報が付加され、これが、ＡＣＫ４００が無線デバイス２０２ｒからのものであると無線デバイス２０２ｔが判定することを助ける無線デバイス２０２ｒのアドレスの一部またはすべてが示される。いくつかの態様では、ＳＴＦシーケンスは、ＡＣＫ４００におけるＳＴＦ４０５に情報を付加するように変更されうる。別の態様では、この情報は、ＡＣＫ４００におけるＳＴＦ４０５のうちのいくつかまたはすべてのフェーズを変更することによって付加されうる。いくつかの態様では、インタフレーム・スペースが、ＡＣＫ４００が無線デバイス２０２ｒからのものであるとデバイス２０２ｔが判定することを助けるためのインジケーションを提供しうる。
【００４９】
図５は、ＡＣＫを送信するための方法５００の態様を例示する。この方法５００は、本明細書における教示に基づいて、図４に例示されるＡＣＫ４００を、またはその他の適切なＡＣＫを生成するために使用されうる。ＡＣＫ４００は、ＡＰ１０４またはＳＴＡ１０６の何れかにおいて生成され、無線ネットワーク１００における別のノードへ送信されうる。この方法５００は、無線デバイス２０２ｒの要素に関して以下に記載されているが、当業者であれば、本明細書に記載されたステップのうちの１または複数を実施するために、その他の構成要素が使用されうることを認識するだろう。
【００５０】
ブロック５０２では、無線デバイス２０２ｒにおいて、無線デバイス２０２ｔからのデータ・パケットが受信される。例えば、この受信は、受信機２１２によって実行されうる。
【００５１】
ブロック５０４では、無線デバイス２０２ｒは、データ・パケットが正しく受信されているか否かを判定する。例えば、無線デバイス２０２ｒは、データ・パケットのフレーム制御シーケンスが合格したか否かを確認しうる。データ・パケットが正しく受信されなかった場合、方法５００は終了する。データ・パケットが正しく受信された場合、方法はブロック５０６に続く。この判定は、例えば、プロセッサ２０４および／またはＤＳＰ２０２によって実行されうる。
【００５２】
ブロック５０６では、ＡＣＫ４００が生成される。前述したように、ＡＣＫ４００は、いくつかのＳＴＦ４０５を含んでいる。いくつかの実施形態では、ＡＣＫ４００のＳＴＦ４０５に情報が付加され、ＡＣＫであることが示される。いくつかの実施形態では、ＡＣＫ４００におけるＳＴＦ４０５に情報が付加され、無線デバイス２０２ｒのアドレスの一部またはすべてが示される。生成は、例えば、プロセッサ２０４および／またはＤＳＰ２２０によって実行されうる。
【００５３】
さらに、ブロック５０８では、ＡＣＫ４００が無線デバイス２０２ｔに送信される。ＡＣＫ４００は、ブロック５０２において無線デバイス２０２ｔからデータ・パケットが受信された時からＴＩＦＳ後に送信されうる。送信は、例えば、送信機２１０によって実行されうる。
【００５４】
図６は、無線通信システム１００内で適用されうる別の典型的な無線デバイス６００の機能ブロック図である。デバイス６００は、前述したように、別の無線デバイスからデータ・パケットを受信するための受信モジュール６０２を備える。受信モジュール６０２は、図５に例示されたブロック５０２に関して前述された機能のうちの１または複数を実行するように構成されうる。受信モジュール６０２は、受信機２１２に相当しうる。デバイス６００はさらに、データ・パケットが正しく受信されたか否かを判定するための判定モジュール６０４を備える。判定モジュール６０４は、図５に例示されたブロック５０４に関して前述された機能のうちの１または複数を実行するように構成されうる。判定モジュール６０４は、ＤＳＰ２２０およびプロセッサ２０４の１または複数に対応しうる。デバイス６００はさらに、ＡＣＫを生成するための生成モジュール６０６を備える。生成モジュール６０６は、図５に例示されたブロック５０６に関して前述された機能のうちの１または複数を実行するように構成されうる。生成モジュール６０６は、ＤＳＰ２２０およびプロセッサ２０４のうちの１または複数に対応しうる。デバイス６００はさらに、ＡＣＫフレームを送信するための送信モジュール６０８を備える。送信モジュール６０８は、図５に例示されたブロック５０８に関して前述された機能のうちの１または複数を実行するように構成されうる。送信モジュール６０８は、送信機２１０に相当しうる。
【００５５】
図７は、ＡＣＫを受信し処理する方法７００の態様を例示する。方法７００は、本明細書における教示に基づいて、図４に例示されているＡＣＫ４００、またはその他の適切なＡＣＫの受信および処理を行うために使用されうる。ＡＣＫフレームは、無線ネットワーク１００内の別のノードから、ＡＰ１０４またはＳＴＡ１０６の何れかにおいて受信されうる。この方法７００は、無線デバイス２０２ｔの要素に関して以下に記載されているが、当業者であれば、本明細書に記載されたステップのうちの１または複数を実施するために、その他の構成要素が使用されうることを認識するだろう。
【００５６】
ブロック７０２では、無線デバイス２０２ｔによって無線デバイス２０２ｒへデータ・パケットが送信される。この送信は、例えば送信機２１０によって実行されうる。
【００５７】
ブロック７０４では、複数のＳＴＦを有するＡＣＫ４００が無線で受信される。例えば、この受信は、受信機２１２によって実行されうる。ブロック７０６では、送信されたデータ・パケットの受信に応じて、無線デバイス２０２ｒによってＡＣＫ４００が送信されたか否かを無線デバイス２０２ｔが判定する。この判定は、例えば、プロセッサ２０４および／またはＤＳＰ２２０によって実行されうる。１つの実施形態では、ブロック７０２において無線デバイス２０２ｔによってデータ・パケットが送信された時からＴＩＦＳ後にＡＣＫ４００が受信されたか否かを判定することを備えうる。これは、無線デバイス２０２ｒがＡＣＫ４００の送信元であることを示す。別の実施形態では、この判定は、複数のＳＴＦに付加され、無線デバイス２０２ｒがＡＣＫ４００の送信元であることを示す情報を読み取ることを備えうる。
【００５８】
図８は、無線通信システム１００内で適用されうる別の典型的な無線デバイス８００の機能ブロック図である。デバイス８００は、パケットを別の無線デバイスへ無線で送信するための送信モジュール８０２を備える。送信モジュール８０２は、図７に例示されたブロック７０２に関して前述された機能のうちの１または複数を実行するように構成されうる。送信モジュール８０２は、例えば、送信機２１０に相当しうる。デバイス８００はさらに、別の無線デバイスからＡＣＫを無線で受信するための受信モジュール８０４を備える。受信モジュール８０４は、図７に例示されたブロック７０４に関して前述された機能のうちの１または複数を実行するように構成されうる。受信モジュール８０４は、例えば、受信機２１２に相当しうる。デバイス８００はさらに、送信されたデータ・パケットの受信に応じて、ＡＣＫが別の無線デバイスによって送信されたか否かを判定するための判定モジュール８０６を備える。判定モジュール８０６は、図７に例示されたブロック７０６に関して前述された機能のうちの１または複数を実行するように構成されうる。例えば、判定モジュール８０６は、プロセッサ２０４および／またはＤＳＰ  ２２０に相当しうる。
【００５９】
本明細書で使用される場合、用語「判定」は、さまざまな動作を含む。例えば、「判定すること」は、計算、コンピューティング、処理、導出、調査、ルックアップ（例えば、テーブル、データベース、または他のデータ構造内のルックアップ）、確認等を行うことを含みうる。また、「判定すること」は、受信（例えば、情報の受信）、アクセス（例えば、メモリ内のデータへのアクセス）等を行うことを含みうる。また、「判定すること」は、解決、選択、選定、確立等を行うことを含みうる。さらに、本明細書で使用されるような「チャネル幅」は、ある態様において、帯域幅と称されうるか、または、帯域幅を包含しうる。
【００６０】
本明細書に記載されるように、アイテムのリストのうちの「少なくとも１つ」と称する文言は、単数を含むこれらアイテムのうちの任意の組み合わせを称する。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図されている。
【００６１】
前述した方法のさまざまな動作は、例えばさまざまなハードウェア構成要素および／またはソフトウェア構成要素、回路、および／または、モジュール（単数または複数）のように、動作を実行することが可能な任意の適切な手段によって実行されうる。通常、図面に例示される何れの動作も、これら動作を実行することが可能な対応する機能手段によって実行されうる。
【００６２】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロ・プロセッサでありうるが、代替案では、プロセッサは、任意の市販のプロセッサ、コントローラ、マイクロコントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００６３】
１または複数の態様では、記載された機能が、ハードウェア、ソフトウェア、ファームウェア、またはこれらの任意の組み合わせで実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。したがって、いくつかの態様では、コンピュータ読取可能な媒体は、非一時的なコンピュータ読取可能な媒体（例えば、実体的な媒体）を備えうる。さらに、いくつかの態様では、コンピュータ読取可能な媒体は、一時的なコンピュータ読取可能な媒体（例えば、信号）を備えうる。前述した組み合わせもまた、コンピュータ読取可能な媒体の範囲内に含まれるべきである。
【００６４】
本明細書で開示された方法は、説明された方法を達成するための１または複数のステップまたは動作を備える。方法ステップおよび／または動作は、特許請求の範囲のスコープから逸脱せずに相互に置換されうる。言い換えると、ステップまたは動作の特定の順序が指定されていない限り、特定のステップおよび／または動作の順序および／または使用は、特許請求の範囲のスコープから逸脱せずに変更されうる。
【００６５】
説明された機能を、ハードウェア、ソフトウェア、ファームウェア、またはその任意の組合せで実施することができる。ソフトウェアで実現される場合、これら機能は、コンピュータ読取可能な媒体に、１または複数の命令群として格納される。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるようなディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−ｒａｙ（登録商標）ディスク（ｄｉｓｃ）を含んでいる。ここで、ｄｉｓｋは通常、データを磁気的に再生する一方、ｄｉｓｃは、レーザを用いてデータを光学的に再生する。
【００６６】
したがって、ある態様は、本明細書に記載された動作を実行するためのコンピュータ・プログラム製品を備えうる。例えば、このようなコンピュータ・プログラム製品は、格納された（および／または符号化された）命令群を有するコンピュータ読取可能な媒体を備える。これら命令群は、本明細書において記載された動作を実行するために、１または複数のプロセッサによって実行されることが可能である。ある態様の場合、コンピュータ・プログラム製品は、パッケージング・マテリアルを含みうる。
【００６７】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００６８】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、このようなデバイスは、本明細書で説明した方法を実行するための手段の転送を容易にするためにサーバに結合されうる。代替案では、本明細書に記載されたさまざまな方法は、記憶手段（例えば、ＲＡＭ、ＲＯＭ、コンパクト・ディスク（ＣＤ）またはフロッピー・ディスクなどの物理記憶媒体など）を介して提供され、ユーザ端末および／または基地局は、記憶手段をデバイスに結合するか提供するときにさまざまな方法を取得しうる。さらに、本明細書で説明された方法および技法をデバイスに提供するために、その他任意の適切な技法が利用されうる。
【００６９】
特許請求の範囲は、前述した正確な構成および構成要素に限定されないことを理解されたい。さまざまな修正、変更、および変形が、特許請求の範囲の範囲から逸脱せずに、前述した方法および装置の構成、動作、および詳細において実施されうる。
【００７０】
前述したものは、本開示の態様に向けられているが、これら開示のその他およびさらなる態様が、本願の基本的な範囲から逸脱することなく考案され、この範囲は、以下に示す特許請求の範囲によって決定される。
【図１】
2014519771.tif 000003
【図２】
2014519771.tif 000004
【図３】
2014519771.tif 000005
【図４】
2014519771.tif 000006
【図５】
2014519771.tif 000007
【図６】
2014519771.tif 000008
【図７】
2014519771.tif 000009
【図８】
2014519771.tif 000010
【国際調査報告】
2014519771.tif 000011
2014519771.tif 000012
2014519771.tif 000013
2014519771.tif 000014
2014519771.tif 000015
2014519771.tif 000016